(57)【要約】【課題】脚立や梯子等の補助道具を用いることなく、シールを容易に天井に貼付することができる貼付装置を提供する。【解決手段】図は貼付装置の上方部分の構造を示し、アーム２４の上端は押圧部材のベース２２に固定されている。収納体１の底板３２の開孔に固定されたパイプ２１の下端部に取り付けられたボルト２５は、スプリングの収縮力により常に上方へ附勢されている。シールを、その裏面を上に向けてウレタン製ラバー２３に載置してから、  アーム２４の下端近傍を持って、収納体１の開口面を天井の貼付位置に当接させる。次に、アームを更に天井方向へ突き上げることにより、スプリングの収縮力に抗してラバー２３を天井面に押圧させて、シールを天井に貼付する。【選択図】  図１
2005193917.tif 000002
【特許請求の範囲】
【請求項１】
薄片状貼付体を貼付するための貼付装置であって、
該貼付装置は、
（１）下側面と上側面とを備え、かつ、前記薄片状貼付体とほぼ同一の表面形状を有する該上側面に該薄片状貼付体を載置可能である押圧部材と、
（２）該押圧部材を内部に収納すると共に、収納された該押圧部材の上側面に対向する平坦な開口面と、該押圧部材の下側面に対向する底板とを備え、更に、該底板に開孔を有する収納体と、
（３）端部が前記押圧部材の下側面に取り付けられると共に、該端部から前記底板の前記開孔を貫通して前記収納体の外部へ延伸する長尺のアームと、
を備え、
かつ、
前記収納体の位置を固定して、前記アームにより該収納体内の前記押圧部材を該収納体の前記開口面に向けて押圧することにより、該押圧部材が該収納体の内部を摺動し、これにより、該押圧部材の前記上側面が少なくとも該収納部材の前記開口面の位置まで移動可能であることを特徴とする貼付装置。
【請求項２】
前記押圧部材の上側面は、弾性を有する素材により構成されていることを特徴とする請求項１記載の貼付装置。
【請求項３】
更に、前記収納体の前記底板を、前記押圧部材の前記下側面に向けて附勢する附勢手段を備えていることを特徴とする請求項１又は２記載の貼付装置。
【請求項４】
前記附勢手段は、前記アームの内部に設けられていることを特徴とする請求項３記載の貼付装置。
【請求項５】
前記附勢手段は、前記アームの外部に設けられていることを特徴とする請求項３記載の貼付装置。
【請求項６】
さらに、前記押圧部材の摺動距離を制限するリミッターを備え、該リミッターにより、前記押圧部材の全体が、前記収納体の外部へ逸脱するのを防止することを特徴とする請求項１，２，３，４又は５記載の貼付装置。
【請求項７】
前記アームは、長さが可変であることを特徴とする請求項１，２，３，４，５又は６記載の貼付装置。
【発明の詳細な説明】
【技術分野】
【０００１】
この発明は、天井等の高所に、シール、ステッカー、ラベル等を貼付する際に使用して好適な貼付装置に関する。
【背景技術】
【０００２】
現在、一般に、商品に対してシール、ステッカー、ラベル等（なお、本願においては、これらを薄片状貼付体と総称する。）を貼付することは、その商品の製造工程或るいは小売店等において、必要に応じて随時行われており、そのための専用の貼付装置も開発されている。
【０００３】
これに対して、天井等の高所に薄片状貼付体を貼付するための専用の貼付装置は未だ開発されていない。
ここで、具体例を挙げて説明すると、例えば、現在、インテリア工事の際に室内の壁等に貼るクロスとしては、非常に多種類のものが開発されているが、そのようなものの中で、特に機能性を付与したクロスの１つとして、不燃性クロスが知られている。
【０００４】
ところで、そのような不燃性クロスを施行した場合には、そのクロスの不燃性の程度を示す防炎シールを、貼られたクロスの適当な箇所に貼付することが施行業者に義務付けられている。そして、この不燃性クロスを天井に施行した場合には、通常、脚立を用いて天井の適当な箇所に、防炎シールを貼付することが行われている。
【発明の開示】
【発明が解決しようとする課題】
【０００５】
前記のように、脚立を用いて防炎シールの貼付作業を行う場合には、作業者が脚立を昇り降りしたり、脚立を持って建物内を移動しなければならず、また、脚立開閉操作も必要となる等、作業が面倒であるばかりでなく、更に、脚立を持って建物内を移動する際に、この脚立によって室内を傷つけるリスクも小さくない。
【０００６】
本発明は、このような点に鑑み、脚立或いは梯子等の補助道具を用いることなく、天井等の高所に薄片状貼付体を容易に貼付することができる専用の装置を提供するものであり、これにより、上述の問題点が一掃される。
【課題を解決するための手段】
【０００７】
本発明は、収納体に内蔵した押圧部材を備え、この押圧部材に取り付けられたアームにより押圧部材を押圧することによって、押圧部材の上側面に載置された薄片状貼付体を所望の貼付位置に貼付する。押圧部材の上側面を弾性を有する素材で構成することにより、より確実に薄片状貼付体を貼付する。また、収納体に対する押圧部材の移動を一定範囲内に制限する制限手段を有する。
【０００８】
また、収納体を、アームを押圧する方向へ附勢する附勢手段をアームの内部又は外部に設けてもよい。更に、アームの長さを可変にする手段を設けてもよい。
【発明の効果】
【０００９】
薄片状貼付体を、高所の所望位置に容易に貼付できる。アームの長さを可変とすることにより、通常の高さの貼付位置よりも遥かに高い貼付位置に薄片状貼付体を貼付することが可能である。アームの長さを短縮可能とすることにより、持ち運びが楽になる。
【発明を実施するための最良の形態】
【００１０】
収納体に収納された押圧部材を、ベースと、その上に接着されたウレタン製のラバーで構成する。収納体を附勢するための附勢手段をスプリングで構成し、これをアーム内に設ける。アームの長さを、通常の天井に貼付するときよりも伸張可能とし、通常よりも遥かに高い天井に貼付することも可能とする。
【実施例１】
【００１１】
本発明の貼付装置を、長方形の薄片状貼付体を天井に貼付するための装置に適用した実施例について、以下、図面を参照して詳細に説明する。
図１５は、かかる実施例の正面図を示し、１は、薄片状貼付体を内部に載置することが可能な筐体形状の収納体、２１は、収納体１の底面部に取り付けられたパイプ、また、２４は、このパイプ２１内を貫通するパイプ構造の長尺のアームであり、本実施例では、１３０センチに長さを有している。そして、このアーム２４を操作して収納体内に載置された薄片状貼付体を天井に押圧することにより、所望の貼付作業を行う。
【００１２】
図１６に、収納体１及びパイプ２１の拡大斜視図を示す。この図に示されるように、収納体１の上側面は開口面として構成されている。２３は、収納体内に収納された押圧部材の表面素材を構成するウレタン製ラバーであり、幾分弾性を持っている。そして、このラバーの表面のサイズは薄片状貼付体とほぼ同一の形状を有しており、貼付する際には、薄片状貼付体が、このラバー２３の表面に載置される。
また、パイプ２１の下端近傍には、ボルト２５がナット２６及びワッシャー２７により取り付けられている。
【００１３】
本実施例の内部構造を図１７及び１８により説明する。
図１７は、アーム２４の中心軸を通り、かつ、収納体の開口面の長辺に対して平行な平面で切断したときの断面図を示し、また、図１８は、アーム２４の中心軸を通り、かつ、収納体の開口面の短辺に対して平行な平面で切断したときの断面図を示す。
これらの図において、ラバー２３は、ベース２２に取り付けられており、この両者により前記の押圧部材が構成される。なお、この押圧部材は、収納体の内側面に対して殆ど抵抗無く摺動できるように構成されている。
【００１４】
アーム２４の上端部は、ベース２２に取り付けられている。そして、その上端近傍には、ボルト２８挿通用の孔が両サイドに形成され、ワッシャー３０及びナット２９によってボルト２８がアーム２４に固定されている。また、パイプ２１の上端部は、収納体１の底板３２に形成された開孔に取り付けられると共に、その下端部近傍にはボルト２５挿通用の孔が両サイドに形成されており、更に、アーム２４のこれらの孔に対応する位置には、縦長の長孔２４１及び２４２が設けられている。
【００１５】
そして、ボルト２５は、これらの長孔及びパイプ２１の孔を挿通して、ワッシャー２７及びナット２６によりパイプ２１に固定されている。なお、これらの長孔は、ボルト２５が抵抗無く縦方向に摺動できるように構成されている。
ここで、上記のボルト２８と２５の間には、図に示されるようにスプリング３１の両端の係止部３１１及び３１２が懸けられており、ボルト２５は、スプリング３１の収縮力により常にボルト２８の方向へ附勢されている。そして、ボルト２５はパイプ２１に固定され、かつ、パイプ２１は収納体１に固定されているため、収納体も、これらの図において、常に上方へ附勢された状態となっている。
【００１６】
そして、この附勢状態は、図に示されているように、ボルト２５が、長孔２４１及び２４２の上端に当接した状態で安定に保持されている。
なお、収納体１、ベース２２、アーム２４、パイプ２１の各素材は、いずれも軽金属で構成されている。
【００１７】
参考までに、本実施例の内部構造を表した斜視図を図１に示す。この図では、前述のスプリング３１の両端の係止部３１１及び３１２、ボルト２５及び２８等の構造を分かり易くするために、収納体１の側壁、押圧部材、パイプ２１及びアーム２４のそれぞれの一部分を切り欠いた状態にして表現している。
【００１８】
次に、本実施例の貼付装置による貼付作業について説明する。
先ず、薄片状貼付体を、その接着剤の塗布された裏面を上にして収納体内のラバー２３の上に載置する。次に、アーム２４の下端部近傍を持ち、アームを天井に対して垂直に保持しながら、収納体１の開口面を、天井の貼付すべき位置に正確に当接させる。この当接させた状態の断面図を図２に示す。なお、この図において、９は、ラバー上に載置された薄片状貼付体、１０は天井である。なお、薄片状貼付体と収納体の内壁との間の間隔は、凡そ１ミリ程度となるように収納体のサイズが設定されている。
【００１９】
次に、この状態において、更にアーム２４を天井方向に突き上げることにより、押圧部材が、スプリング３１の収縮力に抗して収納体内を摺動して天井に強く押圧する（このとき、長孔２４１及び２４２は、ボルト２５に対し上方へ移動する）。これにより、薄片状貼付体の接着面が天井の所望位置に接着される（図３）。
【００２０】
なお、本実施例では、押圧部材の表面素材を、前述のように弾性質のラバーで構成しているので、天井に押圧された薄片状貼付体を確実に接着することができる。また、押圧部材の摺動可能な距離は、長孔２４１及び２４２の縦方向の長さによって制限されているので、例えば、貼付装置を持ち運ぶ最中に、押圧部材全体が収納体の外へ抜け出てしまうというようなトラブルも起きない。
【００２１】
なお、本実施例の貼付装置により貼付可能な天井の高さは、アームの長さにより限定されるが、アームを伸縮可能な構造とすることによって、通常よりも高い天井に貼付することも可能となる。そのような構成例を図４及び図５に示す。
この構成例では、図４の（A）に示されるように、アーム２４の内側に長尺のパイプ３３が内蔵されており、薄片状貼付体を普通の高さの天井に貼付するときは、この状態で使用する。これに対し、通常よりも高い天井に貼付する場合には、同図の（B）に示されるように、内側のパイプ３３を引き出して使用する。
【００２２】
なお、アーム２４とパイプ３３の連結は、図５に示されるように、ボルト３５、ワッシャー３７、ナット３４によって行われ、この連結用の孔が、アーム２４及びパイプ３３の下端近傍と、図４の（A）におけるパイプ３３のＰ１及びP２の位置に、それぞれ設けられている（図４の（A）参照）。
【００２３】
以上に説明した実施例では、スプリングの係止部３１１及び３１２は、いずれも部分的に間隙を備えた形状をしているが、これに代え、係止部の形状を完全に閉じたリング状に構成してもよい。そして、ボルト２８及び２５を、これらのリング状の係止部の中を通すようにすれば、係止部がボルトから外れるというリスクは無くなる。
【００２４】
また、本実施例では、アームの内側に取り付けられたスプリングによって収納体を上方へ附勢しているが、附勢用のスプリングをアームの外側に取り付けるようにしても良い。次に、そのような構造を採る実施例２について説明する。
【実施例２】
【００２５】
実施例２の正面図を図６に示す。この図において、１は収納体、４はアーム、３はアーム４に取り付けられたストッパー、２はストッパー３と収納体１との間に介挿されたスプリング、６は、この貼付装置を操作し易くするためにアーム４に巻かれたラバーである。５は、押圧部材の摺動範囲を制限するためのストッパーである。
先端部分の拡大斜視図を図７に示す。この図において、ベース８と、このベース８に取り付けられた弾性質のラバー７とによって押圧部材が構成されている。
【００２６】
本実施例の収納体内に薄片状貼付体を載置して天井に当接させた状態の断面図を図８に示す。この図において、収納体１は、スプリング２の伸張力により常に上方へ附勢されており、この伸張力に抗して、アーム４を更に上方へ突き上げることにより、薄片状貼付体９が天井に貼付される。
【００２７】
なお、何らかのはずみで押圧部材が収納体から大きく突出するような事態になっても、その場合には、収納体の底板３２が、アーム４上に設けたストッパー５に当接することにより、押圧部材全体が収納体の外へ抜け出てしまうことが阻止される（図におけるDの長さを、Kの長さとHの長さの中間に設定していることにより、貼付操作を可能にすると共に、押圧部材の全体が筐体外へ抜け出るのを防止している）。
【００２８】
次に、本実施例において、通常は、アームの長さをほぼ半分に短縮して持ち運びを容易にすると共に、使用時には、その長さをほぼ２倍に伸張できるようにした構成例について説明する。
かかる構成例の正面図を図９に示す。この図において、アーム１５は、図におけるアーム４の凡そ半分の長さを有し、その内側には、アーム１５と略同じ長さを有する補助アーム１６を内蔵している。
【００２９】
次に、この補助アーム１６を、２点鎖線に示されるように引き出してアームの長さを略２倍に伸ばし、収納体を天井に当接させた状態の断面図を図１０に示す。
この図において、１８は、アーム１５の下端近傍に取り付けられたリングであり、その内側にはネジ溝が刻まれている。また、１９は、パイプ１６の上端に取り付けられたリングであり、その外側にはネジ山が形成されている。
【００３０】
そして、これらのリング１８と１９を図のように螺合させることにより、補助アーム１６の上端部がアーム１５の下端近傍に連結固定され、略２倍のアーム長が得られる。
一方、１７は、アーム１５の上端に取り付けられリングであり、その内側にネジ溝が刻まれている。アーム長を略半分に短縮する際は、パイプ１６をアーム１５内に深く収納して、リング１９をリング１７に螺合させる。
なお、２０は、アーム１５の下端に取り付けられたリングであり、パイプ１６は、このリングの内壁を摺動可能に構成されている。
【実施例３】
【００３１】
次に、収納体を上方へ附勢するためのスプリングを、収納体内部に設けた実施例について説明する。
かかる実施例の正面図を図１１に示す。この図において、４０は収納体、１１は、リミッターとして機能するネジである。収納体の拡大斜視図を図１２に示す。
【００３２】
図は、収納体４０の側板１０９を取り外した状態を示し、収納体内のスプリング１２は、その一端が収納体の底板１１２の取付部１１３に取り付けられると共に、他端は、押圧部材のベース８に取り付けられている。そして、このスプリングの収縮力によって収納体は常に上方へ附勢されているが、通常は、その底板１１２がアーム４上のストッパー４１に当接した図の状態に保持される。
【００３３】
薄片状貼付体を貼付するときは、収納体の開口面を天井の貼付位置に当接してアーム４を突き上げることにより、押圧部材がスプリングの収縮力に抗して天井面に押圧され、所期の貼付が行われる。なお、ネジ１１は、実施例２におけるリミッター５と同じリミッター機能を果たす。
【実施例４】
【００３４】
最後に、スプリングを一切使用しない構造を備えた実施例について説明する。
かかる実施例の正面図を図１３に示す。この図において、１３は、収納体１の底板の開口に取り付けられた長尺のパイプであり、このパイプの中を、収納体内の押圧部材に取り付けられたアーム４が貫通している。１４は、アーム４の下端に取り付けられたエンドキャップである。
【００３５】
本実施例の収納体内に薄片状貼付体を載置して、収納体の開口面を天井の貼付位置に当接させた状態の拡大断面図を図１４に示す（なお、本実施例においては、この当接動作を行う際は、アーム４及びそのエンドキャップ１４に触れないようにして行う。）。
【００３６】
そして、薄片状貼付体９を天井１０に貼付するときは、パイプ１３の下端近傍を一方の手で握って図に示される当接状態を保持しながら、他方の手でエンドキャップ１４を上方へ押し上げることにより、ベース８及び弾性質ラバー７から成る押圧部材を、収納体内を摺動させて天井面に強く圧接し、薄片状貼付体９を天井に貼付する。
【００３７】
ここで、ベース８に取り付けられたアーム４の移動可能な範囲は、パイプ１３の下端とエンドキャップ１４との距離Ｇに制限されているが、このＧの値は、図におけるＫの値とＨの値との中間に設定されている。これにより、上述の貼付動作が実行可能であるだけでなく、収納体が水平よりも下方へ傾けられても、押圧部材の全体が収納体から抜け出てしまうという事態は起きない。
【００３８】
以上、本発明の貼付装置について、各種の実施例を説明したが、本発明は、これらの実施例に限定されるものでは無く、様々な構造の改変が可能である。その例を挙げると、例えば、前述の各実施例では、押圧部材の上側面の素材をウレタンで構成しているが、それ以外の弾性質素材を採用してもよい。更には、押圧部材を１つの弾性質部材のみで構成し、この弾性質部材に直接アームを取り付けるようにしてもよい。
【００３９】
なお、収納体、ベース、アーム、パイプの各素材についても、軽金属に限ることなく、合成樹脂等を採用してもよい。
また、前述の各実施例は、長方形の薄片状貼付体を貼付する場合に適用されるものであるが、これ以外の形状の薄片状貼付体、例えば、正方形、円形、三角形等であっても、その形状に合わせて押圧部材及び収納体の形状を設計変更するだけで、容易に貼付装置を構成できる。
【００４０】
更に、アームと補助アームを連結する手段や収納体を附勢する手段についても、実施例のものとは異なる手段を用いることが可能であり、例えば、附勢手段をアーム内に設ける場合には、その具体的手段として空気バネを用いてもよい。
なお、当業者であれば、以上に説明した構成例の外に、本発明の技術思想の範囲内で更なる構造的改変が可能であるが、そのような構造的改変例が本発明に包含されることも明らかである。
【図面の簡単な説明】
【００４１】
【図１】本発明による貼付装置の拡大斜視図である。（実施例１）
【図２】本発明の貼付装置による貼付操作の断面図である。（実施例１）
【図３】本発明の貼付装置による貼付操作の断面図である。（実施例１）
【図４】本発明による貼付装置の正面図である。（実施例１）
【図５】本発明の貼付装置におけるアームの連結部を示す図である。（実施例１）
【図６】本発明による貼付装置の正面図である。（実施例２）
【図７】本発明による貼付装置の拡大斜視図である。（実施例２）
【図８】本発明の貼付装置による貼付操作の断面図である。（実施例２）
【図９】本発明による貼付装置の正面図である。（実施例２）
【図１０】本発明の貼付装置による貼付操作の断面図である。（実施例２）
【図１１】本発明による貼付装置の正面図である。（実施例３）
【図１２】本発明による貼付装置の拡大斜視図である。（実施例３）
【図１３】本発明による貼付装置の正面図である。（実施例４）
【図１４】本発明の貼付装置による貼付操作の断面図である。（実施例４）
【図１５】本発明による貼付装置の正面図である。（実施例１）
【図１６】本発明による貼付装置の拡大斜視図である。（実施例１）
【図１７】本発明の貼付装置による貼付操作の断面図である。（実施例１）
【図１８】本発明の貼付装置による貼付操作の断面図である。（実施例１）
【符号の説明】
【００４２】
１，４０                                収納体
２，１２，３１                          スプリング
３，５，４１                            リミッター
４，２４                                アーム
７，２３                                ラバー
８，２２                                ベース
９                                      薄片状貼付体
１０                                    天井
１３，２１                              パイプ
２５，２８，３５                        ボルト
２４１，２４２                          長孔
【図１】
2005193917.tif 000003
【図２】
2005193917.tif 000004
【図３】
2005193917.tif 000005
【図４】
2005193917.tif 000006
【図５】
2005193917.tif 000007
【図６】
2005193917.tif 000008
【図７】
2005193917.tif 000009
【図８】
2005193917.tif 000010
【図９】
2005193917.tif 000011
【図１０】
2005193917.tif 000012
【図１１】
2005193917.tif 000013
【図１２】
2005193917.tif 000014
【図１３】
2005193917.tif 000015
【図１４】
2005193917.tif 000016
【図１５】
2005193917.tif 000017
【図１６】
2005193917.tif 000018
【図１７】
2005193917.tif 000019
【図１８】
2005193917.tif 000020